(57)【要約】【目的】  作業者のベルトに係着するクリップ形態ならびに外部のフック部材に係着する係着具形態にスライド変化可能に構成した巻尺用ベルトクリップで、スライド移動するクリップ体を支持しているスライド支持部の本体に押え蓋を固定する際、この押え蓋の固定用ねじの新規緩み防止構造を提供できるようにする。【解決手段】  スライド支持部２ａの本体に押え蓋を固定する際、スライド支持部２ａ内に配設した弾性体６ａが圧迫状態になるように固定する。【選択図】  図４
2014115181.tif 000002
【特許請求の範囲】
【請求項１】
巻尺のケースに取り付けられ、ケースを作業者のベルトや外部のフック部材に係着可能に構成した巻尺用ベルトクリップであって、該ベルトクリップは、ケースに固定するベース体と、少なくともケースとの間に前記ベルトが入る空間を形成するクリップ形態ならびに外部のフック部材に係着する係着具形態にスライド変化可能なクリップ体からなり、該クリップ体は、少なくとも２ピースからなるスライド支持部に支持されており、該スライド支持部は、内装する弾性体または弾発体を圧迫した状態で上記ピースがねじ固定されていることを特徴とするねじの新規緩み防止構造を用いた外部フック対応の巻尺用ベルトクリップ。
【請求項２】
上記弾性体が所定形状の弾性体を複数積み重ねた積層弾性体で、スライド支持部がねじ固定されたとき、該積層弾性体が積層方向に圧迫された状態になることを特徴とする請求項１に記載のねじの新規緩み防止構造を用いた外部フック対応の巻尺用ベルトクリップ。
【請求項３】
上記弾性体が所定形状の弾性体を複数回折り重ねた折重弾性体で、スライド支持部がねじ固定されたとき、該折重弾性体が積重方向に圧迫された状態になることを特徴とする請求項１に記載のねじの新規緩み防止構造を用いた外部フック対応の巻尺用ベルトクリップ。
【請求項４】
上記弾性体が円柱状弾性体で、スライド支持部がねじ固定されたとき、該筒状弾性体が軸方向に略直交する方向に圧迫された状態になることを特徴とする請求項１に記載のねじの新規緩み防止構造を用いた外部フック対応の巻尺用ベルトクリップ。
【請求項５】
上記弾性体が筒状弾性体で、スライド支持部がねじ固定されたとき、該筒状弾性体が軸方向に略直交する方向に圧迫された状態になることを特徴とする請求項１に記載のねじの新規緩み防止構造を用いた外部フック対応の巻尺用ベルトクリップ。
【請求項６】
上記筒状弾性体が、プレート状弾性体を筒状に巻いて形成していることを特徴とする請求項５に記載のねじの新規緩み防止構造を用いた外部フック対応の巻尺用ベルトクリップ
【請求項７】
上記筒状弾性体が、スライド支持部内のクリップ体に直接乃至間接的に嵌められていることを特徴とする請求項５に記載のねじの新規緩み防止構造を用いた外部フック対応の巻尺用ベルトクリップ。
【請求項８】
上記筒状弾性体が、プレート状弾性体を筒状に巻いて形成していることを特徴とする請求項７に記載のねじの新規緩み防止構造を用いた外部フック対応の巻尺用ベルトクリップ
【請求項９】
上記弾性体がプレート状弾性体で、スライド支持部がねじ固定されたとき、該プレート状弾性体がプレート面に略直交する方向に圧迫された状態になることを特徴とする請求項１に記載のねじの新規緩み防止構造を用いた外部フック対応の巻尺用ベルトクリップ。
【請求項１０】
上記プレート状弾性体が、スライド支持部内のクリップ体に直接乃至間接的に巻き付けられていることを特徴とする請求項９に記載のねじの新規緩み防止構造を用いた外部フック対応の巻尺用ベルトクリップ。
【請求項１１】
上記弾発体がコイルスプリングで、スライド支持部がねじ固定されたとき、該コイルスプリングが弾発方向に圧迫された状態になることを特徴とする請求項１に記載のねじの新規緩み防止構造を用いた外部フック対応の巻尺用ベルトクリップ。
【請求項１２】
上記弾発体が板ばねで、スライド支持部がねじ固定されたとき、該板ばねが弾発方向に圧迫された状態になることを特徴とする請求項１に記載のねじの新規緩み防止構造を用いた外部フック対応の巻尺用ベルトクリップ。
【請求項１３】
取り付け部材と被取り付け部材をねじ固定するとき、取り付け部材乃至被取り付け部材に内装した弾性体または弾発体を圧迫状態にして応力または反発力を生じさせ、これら応力または反発力により固定用ねじの緩みを防止したことを特徴とするねじの緩み防止構造。
【発明の詳細な説明】
【技術分野】
【０００１】
本発明は、巻尺ケースを外部のフックにも吊り下げ可能な巻尺用ベルトクリップに関し、より詳しくは、作業者のベルトに係着するクリップ形態ならびに外部のフック部材に係着する係着具形態に変化するスライドクリップ体に関する。
【背景技術】
【０００２】
従来、巻尺用ベルトクリップは、図９に示すように、ヘアピン状に形成したプレート体９の同プレート間に作業者が装着するベルト１０を挿嵌できるようになっていて、例えば、測定作業中に巻尺を一時保持する時や移動のため携帯する際には、該プレート体９をベルト１０に係着することによって同巻尺を作業者が装着するベルト１０に保持させることができるようになっている（例えば、特許文献１参照）。
【０００３】
そして、最近では作業者が装着するベルトに、カラビナ（茄子環やＤフックなど）などの吊り下げ具を多数並設して、該カラビナに電動工具に備えるリング体などを引掛けて吊り下げ携帯できるようにしていて、巻尺においても、該巻尺に備えるベルトクリップがカラビナに対応できる形態に変化し、該カラビナに吊り下げ携帯できるようになっている。なお、カラビナに吊り下げ携帯できるようになっているベルトクリップは、本出願人発明のものである。
【０００４】
上記ベルトクリップにおいて、ケースとの間に作業者のベルトが入る空間を形成するクリップ形態と外部のフック部材に係着する係着具形態にスライド変化するクリップ体は、巻尺のケースに取り付けられるベース体のスライド支持部本体と該本体上に取り付けられる押え蓋により支持される。そして、本体上に固定用ねじで取り付けられる押え蓋は、使用中に外れないよう固定用ねじによって確実に取り付けなければならない部品であるため、スプリングワッシャを用いてねじの緩み防止をしなければならない。
【０００５】
しかしながら、スプリングワッシャを用いた場合には固定用ねじの頭部下にスプリングワッシャの一部が見えてしまうことから、クリップ体を操作するときに最も作業者の目がとまる所であると共にメーカーロゴの表示部にもなる大にデザイン性が重視される押え蓋のデザイン、さらには、デザインに対するメーカーの取り組み評価が失墜してしまう恐れがあった。
【０００６】
なお、ねじの緩み防止は、ねじロック剤を用いるのが一般的であるが、上述のクリップ形態と外部のフック部材に係着する係着具形態にスライド変化するクリップ体は、スライド調整を行うことがあることから、固定用ねじの緩み防止にねじロック剤を用いた場合、調整を終えた後の固定用ねじの脱着とねじロック剤の塗布の２つの工程が増えてしまい、量産品では大に作業効率が低下するため安易に使用することはできないのである。また、タッピングねじの使用も考えられるが、タッピングねじは基本的に１回締めのものであるため、何回も脱着する可能性がある所には使用しないのが普通である。
【先行技術文献】
【特許文献】
【０００７】
【特許文献１】登録実用新案第３１３８２８６号公報
【発明の概要】
【発明が解決しようとする課題】
【０００８】
本発明の目的とするところは、スプリングワッシャを用いなくとも押え蓋を固定する固定用ねじの緩みを防止できるようにして、押え蓋のデザイン性が低下することがなく、そして、量産品の作業効率を大に低下させることがないねじの新規緩み防止構造を用いた外部フック対応の巻尺用ベルトクリップを提供できるようにすることにある。
【課題を解決するための手段】
【０００９】
上述した課題を解決するために、本発明に係るねじの新規緩み防止構造を用いた外部フック対応の巻尺用ベルトクリップは、巻尺のケースに取り付けられ、ケースを作業者のベルトや外部のフック部材に係着可能に構成した巻尺用ベルトクリップであって、該ベルトクリップは、ケースに固定するベース体と、少なくともケースとの間に前記ベルトが入る空間を形成するクリップ形態ならびに外部のフック部材に係着する係着具形態にスライド変化可能なクリップ体からなり、該クリップ体は、少なくとも２ピースからなるスライド支持部に支持されており、該スライド支持部は、内装する弾性体または弾発体を圧迫した状態で上記ピースがねじ固定されていることを特徴とするものである。
【００１０】
ベース体は、本ベルトクリップをケースに固定するための部分または部材であり、螺子などの固定手段によって取り付けられる。
【００１１】
クリップ体は、作業者のベルトや外部のフック部材に係着可能な部材で、ベース体で支持する形態に構成するのが望ましいが、巻尺の形態や外部フックの形態などにより、クリップ体を任意の部材（例えば、クリップ体の支持部材など）を介してベース体に取り付ける場合がある。
【００１２】
本クリップ体のスライド動作は、ケースより引き出された測定テープに略直交方向となるケースの上下方向にスライド移動し、該クリップ体をケースの下方向にスライド移動して本体の大半をスライド支持部よりも下方に移動させたときにクリップ形態になるようにし、また、クリップ体をケースの上方向にスライド移動して本体の大半をスライド支持部よりも上方に移動させたときに係着具形態になるようにしている。
【００１３】
そして、上記クリップ形態にしたとき、少なくともケースとの間に作業者のベルトが入る空間が形成され、また、上記係着具形態にしたとき、外部のフック部材に係着する係着具形態になる。なお、係着具形態のときは、クリップ体の一部がケースよりも突出するようにして、クリップ体を外部のフック部材に掛け易くするのがよい。
【００１４】
また、クリップ体をクリップ形態や係着具形態に変化させたとき、特にクリップ体に変化させたときは、クリップ体のスライド移動が適当に抑制されるようにして、クリップ形態を維持できるようにするのが適当である。このクリップ形態維持手段は公知の技術を利用し、例えば、クリップ体の移動により該クリップ体の一部が支持部に徐々に喰い込んでいくように構成（例えば、締まり嵌め構造などを利用）したり、別部材で構成したロック機構（自動や手動）で構成する場合もある。
【００１５】
さらに、作業者のベルトをクリップ体の先端側より該クリップ体とケース面との間に入れ易くするために、クリップ体（素材の性質など）やクリップ体支持部に有する弾性によってクリップ体の先端とケース面との間が外力によって離間できて、また弾性復元力によって初期位置に復帰できるようにする場合もある。
【００１６】
そして、上述のベルトクリップにおけるクリップ体は、少なくとも２ピース（例えば、本体と蓋体）からなるスライド支持部に支持されており、該スライド支持部は、内装する弾性体または弾発体を圧迫した状態で、これらピース（本体と蓋体）がねじ固定されているものである。
【００１７】
上記、固定用のねじは、クリップ形態と外部のフック部材に係着する係着具形態にスライド変化するクリップ体のスライド調整を行う場合があるため、基本的に１回締めのタッピングねじ以外のもので何回も着脱できるねじを使用していて、例えば、メートルねじのような一般に広く用いられるねじである。また、何回も着脱できるねじの一例としては、雄ねじが雌ねじ部に螺合する形態のものが上げられる。なお、輸出用製品によってインチねじを用いる場合もある。
【００１８】
具体的には、スライド支持部が本体（被取り付け部材）と押え蓋（取り付け部材）から構成されて、弾性体（弾性部材）または弾発体（弾発部材）をセットする本体乃至押え蓋に有した部材セット部に所定形状の弾性体または弾発体がセットされ、押え蓋を固定用ねじで本体に固定したとき弾性体または弾発体が圧迫状態になるように固定するものである。すなわち、弾性体に応力を、弾発体に反発力を生じさせ、上記押え蓋に、該押え蓋を固定用ねじの軸方向へ押し上げる力を付加して固定用ねじの緩み防止をしたものである。
【００１９】
上記、具体的に示したスライド支持部の部材セット部は、弾性体または弾発体をしっかりと保持できて、押え蓋を固定用ねじで本体に固定したときに弾性体または弾発体が圧迫状態になるようになっていればその形態を特に限定するものではなく、公知の保持部形状（例えば凹所）を用いるなど所望の形状にすればよい。
【００２０】
また弾性体も、圧迫により応力を生じさせることができて、押え蓋に、該押え蓋を固定用ねじの軸方向へ押し上げる力を加えられるものであればその形態や素材などを特に限定するものではなく、所望のものを用いればよい。
【００２１】
弾性体の形態の一例を示すと、プレート状の弾性体を適数積み重ねた積層弾性体にして、スライド支持部をねじ固定したとき（押え蓋を固定用ねじで本体に固定）、該積層弾性体が少なくとも積層方向に圧迫された状態になるようにする。
【００２２】
上記、弾性体の形態の他一例を示すと、プレート状の弾性体を適数回折り重ねた折重弾性体にして、スライド支持部をねじ固定したとき（押え蓋を固定用ねじで本体に固定）、該折重弾性体が少なくとも積重方向に圧迫された状態になるようにする。
【００２３】
上記、弾性体の形態のさらに他一例を示すと、円柱状弾性体や筒状弾性体を用いて、スライド支持部をねじ固定したとき（押え蓋を固定用ねじで本体に固定）、該筒状弾性体が少なくとも軸方向に略直交する方向に圧迫された状態になるようにする。また筒状弾性体は、プレート状の弾性体を筒状に巻いて形成してもよい。
【００２４】
そして、筒状弾性体を用いる場合は、スライド支持部内のクリップ体に直接乃至間接的に嵌めることによってスライド支持部内にセットしてもよい。また、クリップ体の筒状弾性体を嵌める部位は、該筒状弾性体の内空断面形状に合わせた（対応する）断面形状にするのがよく、例えば、断面円形とするのが望ましい。勿論、筒状弾性体の内空断面形状をクリップ体の筒状弾性体を嵌める部位の断面形状に合わせてもよい。勿論、スライド支持部が組み合わされたとき（押え蓋を固定用ねじで本体に固定）、弾性体が圧迫された状態になるようにする。
【００２５】
なお、筒状弾性体をクリップ体に間接的に嵌める場合は、具体的には、軸方向にスリットを有する筒状体（円筒状のブッシュを利用してもよい）をクリップ体に嵌め（装着）て該筒状体に筒状弾性体を嵌め、これらを全体の大きさよりも少し小なる凹所内に配設し、スライド支持部が組み合わされたとき（押え蓋を固定用ねじで本体に固定）、弾性体に筒体の外側を締め付ける圧迫力（締め付け力）が生じるようにする。すなわち、弾性体が筒体を圧迫する力がクリップ体に及ぶとき、弾性体自体の性質（弾性）と軸方向にスリットを有する筒体によって適当に調整してクリップ体に加わるようにする。これにより、部材の公差が原因で生じる各製品間のクリップ体のスライドフィーリングに大なる差が生じないようにできる。勿論、スライドフィーリングを他の構造や素材などで安定させている場合は、スリットを有する筒状体を用いることなはない。
【００２６】
上記、弾性体の形態のさらなる他一例を示すと、プレート状弾性体を用いて、スライド支持部をねじ固定したとき（押え蓋を固定用ねじで本体に固定）、該プレート状弾性体がプレート面に略直交する方向に圧迫された状態になるようにする。
【００２７】
そして、プレート状弾性体を用いる場合は、スライド支持部内のクリップ体に直接乃至間接的に巻き付けることによってスライド支持部内にセットしてもよい。
勿論、スライド支持部をねじ固定したとき（押え蓋を固定用ねじで本体に固定）、弾性体が圧迫された状態になるようにする。
【００２８】
なお、プレート状弾性体をクリップ体に間接的に巻き付ける場合は、具体的には、軸方向にスリットを有する筒状体（円筒状のブッシュを利用してもよい）をクリップ体に嵌め（装着）て該筒状体にプレート状弾性体を巻き付け、これらを全体の大きさよりも少し小なる凹所内に配設し、スライド支持部をねじ固定したとき（押え蓋を固定用ねじで本体に固定）、弾性体に筒体の外側を締め付ける圧迫力（締め付け力）が生じるようにする。すなわち、弾性体が筒体を圧迫する力がクリップ体に及ぶとき、弾性体自体の性質（弾性）と軸方向にスリットを有する筒体によって適当に調整してクリップ体に加わるようにする。これにより、部材の公差が原因で生じる各製品間のクリップ体のスライドフィーリングに大なる差が生じないようにできる。勿論、スライドフィーリングを他の構造や素材などで安定させている場合は、スリットを有する筒状体を用いることなはない。
【００２９】
なお、上述に弾性体の形状例を示したが、勿論これらに限定されるものではなく、球体や半球体、錐体や立方体などのものを用いてもよい。
【００３０】
また弾発体も、圧迫により反発力を生じさせることができて、押え蓋に、該押え蓋を固定用ねじの軸方向へ押し上げる力を加えられるものであればその形態や素材などを特に限定するものではなく、所望のものを用いればよい。
【００３１】
弾発体の形態の一例を示すと、コイルスプリングを用いて、スライド支持部をねじ固定したとき（押え蓋を固定用ねじで本体に固定）、該コイルスプリングが弾発方向に圧迫された状態になるようにする。
【００３２】
上記、弾発体の形態の他一例を示すと、板ばねを用いて、スライド支持部をねじ固定したとき（押え蓋を固定用ねじで本体に固定）、該板ばねが弾発方向に圧迫された状態になるようにする。
【００３３】
上述した巻尺用ベルトクリップ以外のものに応用する場合は、取り付け部材乃至被取り付け部材に内装した弾性体または弾発体を、圧迫状態でねじ固定すれることを特徴とするものである。すなわち、取り付け部材や被取り付け部材のいずれか一方または両方に上述のような弾性体または弾発体をセットし、取り付け部材と被取り付け部材を固定したとき、弾性体または弾発体が圧迫状態で固定されるようにする。なお、弾性体または弾発体は、巻尺用ベルトクリップに用いるものと同じものでよい。
【００３４】
上記、弾性体の素材としては、ゴム（合成／天然）やシリコーン樹脂などがよい。また、筒体の素材としては金属や樹脂（合成／天然）を用いればよいが、特に適するものとしては、合成樹脂（ナイロン／テフロン（登録商標）／ジュラコン／ＰＥＴ）などが上げられる。弾発体の素材としては、ばねに適応する金属が適するが、応用可能なものであれば合成樹脂素材などからなるものでもよい。
【００３５】
ベース体やクリップ体の素材としても特に限定するものではなく、巻尺のケースを安全に作業者のベルトや外部のフック部材に係着できるものを用いて構成すればよい。一例として、金属や樹脂（合成／天然）を用いればよい。
【００３６】
クリップ体は、全体を線状材（ロッド材）で形成するのがスライド支持部における支持性や操作性そしてデザイン性などがよいが、勿論、この形状に限定するものではなくプレート状部分などを設けてもよい。なお、線状材を用いる場合、平面視において環状矩形に形成すれば、スライド移動にも適するものになる。
【００３７】
なお、ねじの新規緩み防止構造を上述した巻尺用ベルトクリップ以外のものに応用する場合は、取り付け部材乃至被取り付け部材に弾性体または弾発体を内装し、取り付け部材と被取り付け部材をねじ固定したときに弾性体または弾発体が圧迫状態になるようにする。すなわち、弾性体または弾発体に応力または反発力を生じさせて、上記取り付け部材乃至被取り付け部材に、これらを固定用ねじの軸方向へ押し上げる力を付加する。
【発明の効果】
【００３８】
本発明のねじの新規緩み防止構造を用いた外部フック対応の巻尺用ベルトクリップによれば、ねじの新規緩み防止構造により、スプリングワッシャを用いることなくスライド支持部の構成部材たる押え蓋の固定用ねじの緩みを防止できるので、クリップ体を操作するときに最も作業者の目がとまるため大にデザイン性が重視される押え蓋のデザインを強くアピールでき、そして、量産品に用いても作業効率を大に低下させることがない。
【００３９】
そして、固定用ねじの緩み防止用の弾性体を、スライド支持部内のクリップ体に軸方向にスリットを有する筒状体を介して配設した場合は、固定用ねじの緩み防止と共に、巻尺用ベルトクリップにおける部材の公差が原因で生じる各製品間でのクリップ体のスライドフィーリングを、大なる差が生じないようにすることができる。
【００４０】
そして、本ねじの新規緩み防止構造は、巻尺用ベルトクリップ以外のものに十分に応用することができるので、特に、デザイン性が重視される部品などを固定するためのねじの緩み防止用に大なる効果を発揮するものである。
【００４１】
さらに、タッピングねじを用いて固定するものにも有効であり、タッピングねじも、経年変化によってねじ螺入部が硬化することで、また、大なる振動などで緩む可能性もあることから、本ねじの新規緩み防止構造を用いることにより万一のねじ緩みを防止することができて、固定部の信頼性を大に向上させることができる。
【図面の簡単な説明】
【００４２】
【図１】本発明に係る外部フック対応の巻尺用ベルトクリップを示す斜視図。
【図２】クリップ体を変化させた状態を示す斜視図。
【図３】弾性体の一例を示す斜視図。
【図４】ねじの緩み防止構造を示す斜視図。
【図５】ねじの緩み防止構造を用いたベルトクリップを示す部分斜視図。
【図６】図５中のＡ−Ａ断面図。
【図７】ベルトクリップの使用状態を示す図。
【図８】ベルトクリップの使用状態を示す図。
【図９】従来のベルトクリップを設けている巻尺を示す斜視図。
【発明を実施するための形態】
【００４３】
以下、本発明に係るねじの新規緩み防止構造を用いた外部フック対応の巻尺用ベルトクリップを、添付図面に示す具体例に基づいて説明する。
【００４４】
本巻尺用ベルトクリップは、図１に示すように、巻尺のケース１に固定されるベース体２と、ベース体２のスライド支持部２ａに支持され、ベース体２が取り付けられるケース１面に略並行にスライド移動するスライド部材たるクリップ体３から構成している。
【００４５】
ベース体２は、ケース１の組み立ての際に用いる固定用ねじたる雄ねじ４によってこのケース１上に固定している。
【００４６】
実施例で示すクリップ体３は、断面円形の線状材を平面視において環状に形成したロッド状のもので、また図中の符号３ａは、作業者のベルトまた外部のフック部材に係着するクリップ体３のアーム部である。
【００４７】
また、図１は、クリップ体３がケース１の下方向に位置して作業者のベルトに係着可能なクリップ形態にしている状態を示し、図２は、クリップ体３を図１中の矢印Ａ方向にスライドさせてケース１の上方向に位置させ、外部のフック部材に係着できる係着具形態にしている状態を示している。
【００４８】
そして、スライド支持部２ａにねじの新規緩み防止構造を用いており、この内部に、圧迫された状態で弾性体または弾発体が配設されている。弾性体の一例としては、図３（ａ）〜（ｄ）に示すようなものが上げられ、図３（ａ）は、円柱状弾性体（図中の符号６ａ）、図３（ｂ）は、プレート状の弾性体を巻いて筒状にした筒状弾性体（図中の符号６ｂ）、なお、本（ｂ）の筒状弾性体（図中の符号６ｂ）は、当初から筒状に形成した筒状弾性体を用いてもよい。図３（ｃ）は、プレート状の弾性体を折り重ねた折重弾性体（図中の符号６ｃ）、図３（ｄ）は、プレート状の弾性体を積み重ねた積層弾性体（図中の符号６ｄ）である。そして、弾発体の一例としては、図３（ｅ）（ｆ）に示すようなものが上げられ、図３（ｅ）は、コイルスプリング（図中の符号６ｅ）、図３（ｆ）は、板ばね（図中の符号６ｆ）である。
【００４９】
図４（ａ）〜（ｄ）は、一例として上げた図３（ａ）〜（ｄ）の弾性体の内装状態の一例を示し、図４（ｅ）（ｆ）は、一例として上げた図３（ｅ）（ｆ）の弾発体の内装状態の一例を示している。
【００５０】
図４（ａ）は、弾性体たる円柱状弾性体６ａの内装状態であり、スライド支持部２ａの凹所２ｂにこの凹所２ｂより少々大なる円柱状弾性体６ａをセットし、固定用ねじ２ｃで本体と押え蓋を固定する。これにより、図中の矢印方向に応力（反発する力）が生じて本体と押え蓋を引き離そうとする力すなわち引き離し力になって該引き離し力が固定用ねじ２ｃの頭部２ｄにかかり、この引き離し力によって固定用ねじ２ｃの特に頭部２ｄと該頭部２ｄが圧接する部材の摩擦力の低下が阻止され、固定用ねじ２ｃの緩みが防止される。
【００５１】
そして、図４（ｂ）は、筒状弾性体６ｂの内装状態であり、図４（ｃ）は、折重弾性体６ｃの内装状態であり、図４（ｄ）は、積層弾性体６ｄの内装状態である。これらの弾性体もスライド支持部２ａの凹所２ｂより少々大なるもので、固定用ねじ２ｃで本体と押え蓋を固定することによって図中の矢印方向に応力が生じ、図４（ａ）を用いて述べた緩み防止作用と同じ作用で、固定用ねじ２ｃのねじ緩みが防止される。
【００５２】
図４（ｅ）は、弾発体たるコイルスプリング６ｅの内装状態であり、スライド支持部２ａの凹所２ｂにコイルスプリング６ｅをセットし、固定用ねじ２ｃで本体と押え蓋を固定する。これにより、図中の矢印方向に反発力が生じて本体と押え蓋を引き離そうとする力すなわち引き離し力になって該引き離し力が固定用ねじ２ｃの頭部２ｄにかかり、この引き離し力によって固定用ねじ２ｃの特に頭部２ｄと該頭部２ｄが圧接する部材の摩擦力の低下が阻止され、固定用ねじ２ｃの緩みが防止される。
【００５３】
そして、図４（ｆ）は、板ばね６ｆの内装状態である。この板ばね６ｆも、固定用ねじ２ｃで本体と押え蓋を固定することによって図中の矢印方向に応力が生じ、図４（ｅ）を用いて述べた緩み防止作用と同じ作用で、固定用ねじ２ｃのねじ緩みが防止される。
【００５４】
図５は、ねじの新規緩み防止構造を用いた巻尺用ベルトクリップのスライド支持部２ａ内部を示しており、また本図は、内部を分かり易くするため、押え蓋を取り外した状態で図示している。従って本例は、弾性体にプレート状の弾性体を巻いて形成する筒状弾性体６ｂを用い、また、弾性体を単独でスライド支持部２ａ内に配設するのではなく、クリップ体３のアーム部３ａに装着しているスリット５ａを有する筒体５の外側にプレート状弾性体を巻いて筒状にした筒状弾性体６ｂを設けたものである。こうすることにより、押え蓋を固定する固定用ねじ２ｃの緩み防止と共に、部材公差が原因となるクリップ体３の各製品間でのスライドフィーリングの差をも縮小させることができる。
【００５５】
すなわち、固定用ねじ２ｃの緩み防止は、スライド支持部２ａの凹所２ｅの内壁が筒状弾性体６ｂを圧迫していることによって筒状弾性体６ｂに応力が生じ、本体と押え蓋を引き離そうとする力すなわち引き離し力になって該引き離し力が固定用ねじ２ｃの頭部２ｄにかかり、この引き離し力が固定用ねじ２ｃの頭部２ｄと該頭部２ｄが圧接する押え蓋との摩擦力の低下を阻止するので、固定用ねじ２ｃの緩みが防止される。
【００５６】
また、クリップ体３の各製品間でのスライドフィーリング差の縮小は、スライド支持部２ａの凹所２ｅの内壁が筒状弾性体６ｂを圧迫し、筒状弾性体６ｂが筒体５を圧迫し、筒体５がクリップ体３におけるアーム部３ａ（ロッド状部分）を圧迫して、適当な圧迫力（締め付け力）でアーム部３ａを支持することで、該アーム部３ａに加わる圧迫力（締め付け力）が筒状弾性体６ｂの弾力性ならびに筒体５のスリット５ａによって巻尺用ベルトクリップ製品毎に適度に調整されるので、各製品間でのスライドフィーリング差が縮小される。
【００５７】
なお、スライド支持部２ａは、本体と押え蓋の２ピース部材で構成しているものを示している。
【００５８】
また、上述する筒体５ならびに弾性体（円柱状弾性体６ａ、筒状弾性体６ｂ、折重弾性体６ｃ、積層弾性体６ｄ）をしっかりと保持できれば、これらを凹所内に収容して保持する以外の方法で保持してもよい。
【００５９】
図７は、クリップ形態のクリップ体３を作業者のベルト７に係着している状態を示し、また、ベルト７は先端３ｂ側から入る。図８は、係着具形態のクリップ体３を作業者のベルト７に有するカラビナ（茄子環やＤフックなど）などのフック８に掛着している状態を示している。
【符号の説明】
【００６０】
１…ケース
２…ベース体
２ａ…スライド支持部
２ｂ…凹所
２ｃ…固定用ねじ
２ｄ…頭部
２ｅ…凹所
３…クリップ体
３ａ…アーム部
３ｂ…先端
４…雄ねじ
５…筒体
５ａ…スリット
６ａ…円柱状弾性体
６ｂ…筒状弾性体
６ｃ…折重弾性体弾性体
６ｄ…積層弾性体
６ｅ…コイルスプリング
６ｆ…板ばね
７…ベルト
８…フック
９…プレート体
１０…ベルト
【図１】
2014115181.tif 000003
【図２】
2014115181.tif 000004
【図３】
2014115181.tif 000005
【図４】
2014115181.tif 000006
【図５】
2014115181.tif 000007
【図６】
2014115181.tif 000008
【図７】
2014115181.tif 000009
【図８】
2014115181.tif 000010
【図９】
2014115181.tif 000011